【手続補正書】
【提出日】平成17年6月21日(2005.6.21)
【手続補正１】
【補正対象書類名】明細書
【補正対象項目名】特許請求の範囲
【補正方法】変更
【補正の内容】
【特許請求の範囲】
【請求項１】
撮影レンズと、
絞りと、
上記撮影レンズの被写体像を電気信号に変換するイメージセンサと、
上記イメージセンサを制御して画像データを取込むイメージセンサ駆動回路と、
上記画像データを表示するモニタと、
上記絞りの絞り値を設定する設定手段と、
被写界深度を確認するために操作するプレビュースイッチと、
上記プレビュースイッチが操作されると上記絞りが開放状態において取込まれた画像データと上記設定手段が設定した絞り値において取込まれた画像データとを合わせて上記モニタへ表示するモニタ制御手段と、
を有することを特徴とするカメラ。
【請求項２】
撮影レンズと、
絞りと、
上記撮影レンズの被写体像を電気信号に変換するイメージセンサと、
上記イメージセンサを制御して画像データを取込むイメージセンサ駆動回路と、
上記画像データを表示するモニタと、
上記絞りの絞り値を設定する設定手段と、
被写界深度を確認するために操作するプレビュースイッチと、
上記絞りが開放の状態において画像データの取込みと該画像データの上記モニタへの表示を繰り返すことで上記モニタの表示を更新し、上記プレビュースイッチが操作されると上記設定手段が設定した絞り値において取込まれた画像データを上記モニタへ表示するモニタ制御手段と、
を有することを特徴とするカメラ。
【請求項３】
撮影レンズと、
絞りと、
上記撮影レンズの被写体像を電気信号に変換するイメージセンサと、
上記イメージセンサを制御して画像データを取込むイメージセンサ駆動回路と、
上記画像データを記憶する画像メモリと、
上記画像データを表示するモニタと、
上記絞りの絞り値を設定する設定手段と、
被写界深度を確認するために操作するプレビュースイッチと、
上記プレビュースイッチが操作されると上記画像メモリに記憶された上記絞りが開放状態において取込まれた画像データと上記設定手段が設定した絞り値において取込まれた画像データとを合わせて上記モニタへ表示するモニタ制御手段と、
を有することを特徴とするカメラ。
【請求項４】
撮影レンズと、
絞りと、
上記撮影レンズの被写体像を電気信号に変換するイメージセンサと、
上記イメージセンサを制御して画像データを取込むイメージセンサ駆動回路と、
上記画像データを記憶する画像メモリと、
上記画像データを表示するモニタと、
上記絞りの絞り値を設定する設定手段と、
被写界深度を確認するために操作するプレビュースイッチと、
上記絞りが開放の状態において画像データの取込みと該画像データの上記モニタへの表示を繰り返すことで上記モニタの表示を更新し、上記プレビュースイッチが操作されると上記画像メモリに記憶された上記設定手段が設定した絞り値において取込まれた画像データを上記モニタへ表示するモニタ制御手段と、
を有することを特徴とするカメラ。
【請求項５】
上記設定手段は手動操作されるスイッチであることを特徴とする請求項１乃至４に記載のカメラ。
【手続補正２】
【補正対象書類名】明細書
【補正対象項目名】０００２
【補正方法】変更
【補正の内容】
【０００２】
【従来の技術】
今日、銀塩フィルムを用いた撮影と、ＣＣＤ等の撮像素子を用いた撮影を共に可能ならしめ、両者を使い分けることが可能な技術が開発されている。
例えば、特開平１０−２０３９２号公報では、銀塩フィルムによる撮影とイメージセンサによる電子的撮影が可能であり、撮影された画像をモニタ上に表示する技術が開示されている。特に、この技術では、撮影される被写体と背景のボケ具合が確認できるように表示が行われる。
【手続補正３】
【補正対象書類名】明細書
【補正対象項目名】０００６
【補正方法】変更
【補正の内容】
【０００６】
【課題を解決するための手段】
上記目的を達成するために、本発明の第１の態様では、撮影レンズと、絞りと、上記撮影レンズの被写体像を電気信号に変換するイメージセンサと、上記イメージセンサを制御して画像データを取込むイメージセンサ駆動回路と、上記画像データを表示するモニタと、  上記絞りの絞り値を設定する設定手段と、被写界深度を確認するために操作するプレビュースイッチと、上記プレビュースイッチが操作されると上記絞りが開放状態において取込まれた画像データと上記設定手段が設定した絞り値において取込まれた画像データとを合わせて上記モニタへ表示するモニタ制御手段と、を有することを特徴とするカメラが提供される。 
本発明の第２の態様では、撮影レンズと、絞りと、上記撮影レンズの被写体像を電気信号に変換するイメージセンサと、上記イメージセンサを制御して画像データを取込むイメージセンサ駆動回路と、上記画像データを表示するモニタと、上記絞りの絞り値を設定する設定手段と、被写界深度を確認するために操作するプレビュースイッチと、上記絞りが開放の状態において画像データの取込みと該画像データの上記モニタへの表示を繰り返すことで上記モニタの表示を更新し、上記プレビュースイッチが操作されると上記設定手段が設定した絞り値において取込まれた画像データを上記モニタへ表示するモニタ制御手段と、を有することを特徴とするカメラが提供される。 
本発明の第３の態様では、撮影レンズと、絞りと、上記撮影レンズの被写体像を電気信号に変換するイメージセンサと、上記イメージセンサを制御して画像データを取込むイメージセンサ駆動回路と、上記画像データを記憶する画像メモリと、上記画像データを表示するモニタと、上記絞りの絞り値を設定する設定手段と、被写界深度を確認するために操作するプレビュースイッチと、上記プレビュースイッチが操作されると上記画像メモリに記憶された上記絞りが開放状態において取込まれた画像データと上記設定手段が設定した絞り値において取込まれた画像データとを合わせて上記モニタへ表示するモニタ制御手段と、を有することを特徴とするカメラが提供される。 
本発明の第４の態様では、撮影レンズと、絞りと、上記撮影レンズの被写体像を電気信号に変換するイメージセンサと、上記イメージセンサを制御して画像データを取込むイメージセンサ駆動回路と、上記画像データを記憶する画像メモリと、上記画像データを表示するモニタと、上記絞りの絞り値を設定する設定手段と、被写界深度を確認するために操作するプレビュースイッチと、上記絞りが開放の状態において画像データの取込みと該画像データの上記モニタへの表示を繰り返すことで上記モニタの表示を更新し、上記プレビュースイッチが操作されると上記画像メモリに記憶された上記設定手段が設定した絞り値において取込まれた画像データを上記モニタへ表示するモニタ制御手段と、を有することを特徴とするカメラが提供される。 
本発明の第５の態様では、上記第１乃至第４の態様において、上記設定手段は手動操作されるスイッチであることを特徴とするカメラが提供される。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】